(57)【要約】  本発明は、回転可能に駆動可能な回転円板（１１）を備える、その下流に位置する装置に、特に製品を選別するための装置に多数の未分類の製品を搬送するための搬送要素に関する。装置は、回転円板（１１）に対し偏心して配置された誘導要素（１５）が回転円板（１１）に位置している点で特徴づけられる。この誘導要素（１５）は好ましくは円形の側壁（１４）を有する。【選択図】図１
2008528404.tif 000002
【特許請求の範囲】
【請求項１】
回転するように駆動可能な回転台（１１）を含む、後続装置、特に製品を選別するための装置に複数の未分類の製品を送出するための送出要素であって、回転台（１１）上に回転台（１１）に対し偏心して配置された誘導要素（１５）が配置されており、誘導要素（１５）は好ましくは円形の側壁（１９）を備えていることを特徴とする、送出要素。
【請求項２】
側壁（１９）は回転台（１１）から垂直に張り出す側壁（１４）とほぼ平行に走っていることを特徴とする請求項１に記載の送出要素。
【請求項３】
誘導要素（１５）は固定した支持体（１７）に回転するように駆動可能に取り付けられていることを特徴とする請求項１または２に記載の送出要素。
【請求項４】
誘導要素（１５）は支持体（１７）に調整可能に取り付けられていることを特徴とする請求項１〜３のいずれかに記載の送出要素。
【請求項５】
誘導要素（１５）は回転台（１１）を製品送給領域（２０）と製品取出し領域（２１）とに分割していることを特徴とする請求項１〜４のいずれかに記載の送出要素。
【請求項６】
製品送給領域（２０）の領域にレベルセンサ（２３）が配置されていることを特徴とする請求項５に記載の送出要素。
【請求項７】
回転台（１１）と誘導要素（１５）は、任意選択で、同一方向または反対方向に駆動されることを特徴とする請求項１〜６のいずれかに記載の送出要素。
【請求項８】
回転台（１１）の回転シャフト（１２）と誘導要素（１５）の回転シャフト（１６）は偏ってかつ互いに平行に延びていることを特徴とする請求項１〜７のいずれかに記載の送出要素。
【発明の詳細な説明】
【技術分野】
【０００１】
本発明は、誘導要素を偏心させて取り付けられ、回転するように駆動可能な回転台を含む、後続装置、特に製品を選別するための装置に複数の未分類の製品を送出するための送出要素に関する。
【背景技術】
【０００２】
この種の装置は多くの分野で、特に包装産業や食品産業において使用されている。正確にはこれらの分野では、大型の貯蔵器から、特に複数の不揃いな製品からなる製品流れから、個々の製品または製品の群を選別することが必要である。製品は不揃いな入ってくる流れから手作業で受け取られ、選別されてから、後続の処理または包装のために送出されることが知られている。自動化の過程で、製品を自動的に選別する取扱いシステムがますます頻繁に使用されつつある。選別のための装置への送出を単純にし改善するために、上述の回転台または保管台がますます増大する範囲で使用されており、それらは例えば魚の切り身などの製品の不揃いな入ってくる流れが供給され、それらを選別のための取扱い要素の領域に連続的または間欠的に回転によって移動させる。
【０００３】
しかし、そのような回転台は、回転台上の製品が回転台の表面全体にしばしば不均等に分散されるという欠点を有する。その結果、個々の製品が、いわゆる無効区域すなわち取扱い要素のいずれによっても届かない区域に留まるということが度々起きる。これは、そのような製品が取扱い要素の把持または吸引要素のうちの１個によって拾得されずに際限なく回転することにつながる。さらに、取扱い要素が大きな区域、すなわち台表面の全体にわたり製品を探さなければならないことは、取扱い要素の大きな作業半径を必要とし長い搬送距離につながるので、不利である。
【発明の開示】
【発明が解決しようとする課題】
【０００４】
従って、本発明の目的は、不揃いな製品をならしそれらを集中させて送出するための単純で信頼できる装置を提供することである。
【課題を解決するための手段】
【０００５】
この目的は、回転台上に回転台に対し偏心して配置された誘導要素を配置し、誘導要素は好ましくは円形の側壁を備えるという事実により前述の特徴を備える装置によって達成される。その結果、製品は回転台で線形配列に強制され、それは製品の受取りと選別を本質的に単純にする。同時に誘導要素の外壁でもあるその側壁により、製品は、製品取出し領域の領域に外向きに安全かつ確実に強制される。円形形状は製品が誘導要素に引っかかるのを防ぐ。
【０００６】
本発明の好ましい発展において、誘導要素は支持体に調整可能に取り付けられる。それゆえ、所要の製品幅が容易に設定できる。言い換えれば、製品取出し領域の幅は種々の製品幅に適応され得る。
【０００７】
さらなる有利な特徴および好ましい実施形態は、付属の特許請求の範囲と説明から明らかである。特に好ましい実施形態を添付図面に関してさらに詳細に説明する。
【発明を実施するための最良の形態】
【０００８】
図示された装置は、複数の未分類の製品、特に魚の切り身をならし、それらを処理および／または包装するための後続装置へ送出する働きをする。
【０００９】
図１に従った送出要素１０は回転シャフト１２の周りを回転可能な回転台１１を含む。回転台１１は円形の円板１３として設計されており、径方向全周で、円板１３から垂直に張り出す側壁１４が設けられている。回転シャフト１２は通常円板１３に垂直に向けられており、円板１３は好ましくは水平に向けられている。代替として、円板１３と回転シャフトから構成されるユニットは傾けることもできる。回転シャフト１２は円板１３に対し中心に延びている。
【００１０】
回転台１１の領域に誘導要素１５が配置されている。誘導要素１５は、回転台１１に対し偏心して配置されており、回転シャフト１６の周りを回転可能である。誘導要素１５は、製品を受け取る回転台１１の側に配置されており、任意選択で回転台１１の上に載せるかあるいはそれから僅かに離して上方に配置される。誘導要素１５は、例えばかどばった支持アームといった支持体１７に回転可能に取り付けられており、支持体１７はフレーム（図示せず）または床に固定して取り付けられる。誘導要素１５の回転シャフト１６は、回転台１１の回転シャフト１２から偏って配置されている。しかし回転シャフト１２、１６は互いに本質的に平行に延びている。回転シャフト１２、１６の偏りは、図示された実施形態においてＸ方向とＹ方向にある量だけ偏っている。
【００１１】
好ましくは、偏心シャフトとも呼べる誘導要素１５の回転シャフト１６は、調整可能である。偏心シャフトの調整可能性は種々の方式でもたらされる。例えば、回転シャフト１６は、支持体１７のアーム１８の長円形の穴（図示せず）内で摺動可能とし、ねじ等によって所要の位置に固定させるようにすることができる。別の可能性は、アーム１８自体が例えば伸縮式であるということに存する。他の一般的な調整機構もまた使用することができる。
【００１２】
図示された実施形態における誘導要素１５は、回転台１１の側壁１４とほぼ平行に走る好ましくは円形の側壁１９を有する。例えば楕円形または多角形の設計といった他の形態や形状の側壁１９もまた使用することができる。誘導要素１５の直径は回転台１１の直径よりも小さい。したがって、誘導要素１５は回転台１１の一部だけを被っている。誘導要素１５によって被われるかまたは包囲された回転台１１の領域は常に製品がない。誘導要素１１の外側、すなわち側壁１９の、回転シャフト１６から離れる方向の側には、製品のための表面が形成される。回転台１１に対する誘導要素１５の偏心のために、誘導要素１５は、回転台１１すなわち製品のために設けられた表面を、製品送給領域２０と製品取出し領域２１とに分割する。これはまた、鎌形である製品送給領域２０をもたらす。この鎌形の製品送給領域２０は干渉する輪郭形状がなく、その結果、製品によってこの領域が容易に満たされる。
【００１３】
誘導要素１５の偏心の調整によって、それぞれの領域（製品送給領域２０と製品取出し領域２１）の大きさは変えることができ、製品送給領域２０は通常、製品取出し領域２１よりも大きい。さらに、製品取出し領域２１は、回転シャフト１２のまわりで同心に、回転台１１の外縁に環状に広がる。製品送給領域２０は、製品取出し領域２１の内部にある面積から誘導要素１５によって被われるかまたは包囲された面積を引いたものに対応し、鎌形である。
【００１４】
図示された実施形態における送出要素１１は、不揃いで未分類の製品の製品の流れを配送ベルト２２によって供給される。配送ベルト２２の代わりに、例えばシュートなどの他の運搬または搬送要素が使用できる。配送ベルト２２は好ましくは、送出要素１０内またはその上で製品送給領域２０に到る。製品送給領域２０の領域には、好ましくはその上方に、レベルセンサ２３が配置されている。レベルセンサ２３によって測定された情報または信号は、送出要素１０が接続される制御システムによって処理される。好ましくは、配送ベルトやあらゆる後続装置もまた、この制御システムと接続される。加えて、さらなる監視要素が製品取出し領域２１に対して設けることができ、制御システムと有効に接続され得る。
【００１５】
図示された実施形態において、回転台１１と誘導要素１５の回転の方向は同一である。しかし、反対方向に駆動させる可能性もまた存在する。さらに、誘導要素１５はまた、回転する回転台１１に対して静止していてもよく、それにより一方で回転台１と他方で誘導要素１５との間に相対速度が存在する。同様に、送出要素１１との摩擦ロッキングによる誘導要素１５の駆動が可能である。
【００１６】
そのような装置１０は種々のシステムと接続することができる。重量制御された製品の集りをロット化するための装置と組合わせた使用が好ましい。しかし装置１０はまた他の装置とも接続できる。また、装置１０によってすでに分類されたか、予め分類された製品または物体は、さらなる処理のために、または包装ユニットに送出される。誘導要素１５の形状もまた、円形形状に制限されず、例えば楕円形、多角形などといった他のあらゆる形状を有することができる。
【００１７】
以下に、送出要素１０の方法の原理をさらに詳細に説明する。回転台１１は間欠的または連続的に配送ベルト２２によって製品の流れが供給される。製品は、製品送給領域２０の領域で回転台１１に落下する。回転台は回転シャフト１２の周りを回転している。やはり回転している誘導要素１５またはその側壁１９によって、製品は、製品送給領域２０から製品取出し領域２１に外向きに強制され、その結果、製品はいわば一列にならされ、回転台１１で回転し、その後、例えば吸引ノズルによる吸引によって確実に選別されるようになる。十分な製品が回転台１１に配置されたという信号をレベルセンサ２３が与えるまで、新しい製品が配送ベルト２２によって回転台１１上に供給される。その後、配送ベルト２２による製品供給は停止する。レベルセンサ２３または他の監視要素が製品送給領域２０および／または製品取出し領域２１の領域おいて回転台１１上で隙間を再び検出するとただちに、配送ベルト２２は再び運転状態に設定される。代替的または追加的に、例えばセンサなどの付加的な監視要素が、製品取出し領域２１を監視し、またはそれが順序正しく占拠されているかどうかを監視して、隙間または製品のない領域がある場合、より多くの製品を、製品送給領域２０に、最終的に製品取出し領域２１に搬送させるためにその情報を渡すようにしている。
【００１８】
製品の大きさが変化する場合には、誘導要素１５が調整され、それにより誘導要素１５の回転シャフト１６を回転台１１の回転シャフト１２のより近くに移動させることによって、製品取出し領域２１を拡大させる、すなわち広げられる。調整はまた、誘導要素１５を、もっと小さいかまたは大きい直径を有するものと交換することによっても行うことができる。
【００１９】
製品送給領域２０だけに製品が確実に落下するようにすることが望ましい。これは、例えば、配送ベルト２２が製品取出し領域２１の上で止まるか、またはその中まで延出しており、製品が例えばシュートなどの誘導要素によって製品送給領域２０に落下させられるということによって達成される。
【図面の簡単な説明】
【００２０】
【図１】偏心して配置された誘導要素を備える回転台の平面図を示す。
【図２】図１における装置の側面図を示す。
【図１】
2008528404.tif 000003
【図２】
2008528404.tif 000004
【手続補正書】
【提出日】平成19年6月26日(2007.6.26)
【手続補正１】
【補正対象書類名】特許請求の範囲
【補正対象項目名】全文
【補正方法】変更
【補正の内容】
【特許請求の範囲】
【請求項１】
回転台（１１）に対し偏心して配置された誘導要素（１５）が関係づけられていて、回転するように駆動可能な回転台（１１）を含み、後続装置、特に製品を選別するための装置に複数の未分類の製品を送出するための送出要素であって、誘導要素（１５）は回転台（１１）から垂直に張り出す径方向周縁側壁（１４）とほぼ平行に走っている側壁（１９）を備えており、回転台（１１）と誘導要素（１５）の両者が、随意選択で、同一または反対方向に駆動されることを特徴とする送出要素。
【請求項２】
誘導要素（１５）は固定した支持体（１７）に回転するように駆動可能に取り付けられていることを特徴とする請求項１に記載の送出要素。
【請求項３】
誘導要素（１５）は支持体（１７）に調整可能に取り付けられていることを特徴とする請求項１または２に記載の送出要素。
【請求項４】
誘導要素（１５）は回転台（１１）を製品送給領域（２０）と製品取出し領域（２１）とに分割していることを特徴とする請求項１〜３のいずれかに記載の送出要素。
【請求項５】
製品送給領域（２０）の領域にレベルセンサ（２３）が配置されていることを特徴とする請求項４に記載の送出要素。
【請求項６】
回転台（１１）の回転シャフト（１２）と誘導要素（１５）の回転シャフト（１６）は偏ってかつ互いに平行に延びていることを特徴とする請求項１〜５のいずれかに記載の送出要素。
【手続補正２】
【補正対象書類名】明細書
【補正対象項目名】０００１
【補正方法】変更
【補正の内容】
【０００１】
本発明は、回転するように駆動可能な回転台を含む、後続装置、特に製品を選別するための装置に複数の未分類の製品を送出するための送出要素に関する。
【手続補正３】
【補正対象書類名】明細書
【補正対象項目名】０００５
【補正方法】変更
【補正の内容】
【０００５】
この目的は、誘導要素が、回転台から垂直に張り出す径方向周縁側壁とほぼ平行に走っている側壁を備えており、回転台と誘導要素の両者は、随意選択で、同一または反対方向に駆動されるという特徴を備える装置によって達成される。その結果、製品は、径方向周縁、それゆえに回転台の閉じた側壁に沿って回転台で線形配列に強制され、それは製品の受取りと選別を本質的に単純にする。回転台の側壁と平行に走っていると同時に誘導要素の外壁でもある誘導要素の側壁により、製品は製品取出し領域に外向きに安全かつ確実に強制される。側壁の垂直設計ばかりでなく一方で回転台と他方で誘導要素の能動的駆動が製品が誘導要素に引っかかるのを防ぎ、それにより製品送給領域から製品取出し領域への製品の問題ない送出が保証される。
【国際調査報告】
2008528404.tif 000005
2008528404.tif 000006
2008528404.tif 000007
2008528404.tif 000008
2008528404.tif 000009
2008528404.tif 000010